(57)【要約】      （修正有）【課題】折り畳み式ダイビングマスクを提供する。【解決手段】左枠体に左レンズフレーム１１が設けられ、その一側に支持部及び規制部が設けられ、支持部内に収容溝が設けられ、支持部の収容溝底部に貫通穴が穿設され、収容溝内にばね部材が設けられ、規制部内に規制溝が設けられ、収容溝内に押圧軸４０が係止するように設けられ、ばね部材は押圧軸を外嵌し、押圧軸の下方に位置決め用つまみが固設され、右枠体に右レンズフレーム２１が設けられ、その一側に方向変換部が設けられ、方向変換部が支持部と規制部との間に配置され、方向変換部の通孔下方に第２歯溝が設けられ、位置決め用つまみの上端部が第２歯溝内に係止され、押圧軸を位置決め用つまみ構造に結合することで、左枠体と右枠体の安定した嵌め合わせを完成させ、折り畳もうとする時、押圧軸を下に押すと位置決め用つまみと方向変換部を分離させ、右枠体を回転すると製品の折り畳み操作が完了する。【選択図】図２
0003225217.tif 000002
【実用新案登録請求の範囲】
【請求項１】
メインフレームを含み、前記メインフレームは、互いに嵌合された左枠体と右枠体とを含み、前記左枠体に左レンズフレームが設けられ、前記左レンズフレームの一側に支持部及び規制部が設けられ、前記支持部内に収容溝が設けられ、前記支持部の前記収容溝底部に貫通穴が穿設され、前記収容溝内にばね部材が設けられ、前記規制部は、前記支持部の下方に設けられ、前記規制部内に規制溝が設けられ、前記収容溝内に押圧軸が係止するように設けられ、前記押圧軸が前記貫通穴を貫設し、前記ばね部材が前記押圧軸を外嵌し、前記押圧軸の下方に位置決め用つまみが固設され、前記位置決め用つまみの下端部が前記規制溝内に係止するように設けられ、前記位置決め用つまみの上端部が前記規制溝に突設され、前記右枠体に右レンズフレームが設けられ、前記右レンズフレームの一側に方向変換部が設けられ、前記方向変換部が前記支持部と前記規制部との間に配置され、前記方向変換部に通孔が穿設され、前記方向変換部の前記通孔下方に第２歯溝が設けられ、前記位置決め用つまみの上端部が前記第２歯溝内に係止されることを特徴とする、折り畳み式ダイビングマスク。
【請求項２】
マスク本体をさらに含み、前記マスク本体は、前記メインフレームの一側に密着するように固設されることを特徴とする、請求項１に記載の折り畳み式ダイビングマスク。
【請求項３】
前記マスク本体は、顔面に密着するスカート部と鼻を覆うノーズポケット部とを含み、前記スカート部が前記左枠体及び前記右枠体の外側縁に密着するように設けられることを特徴とする、請求項２に記載の折り畳み式ダイビングマスク。
【請求項４】
前記押圧軸には、キャップ及び前記キャップに接続された接続ポストが設けられ、前記接続ポストの一端が位置決め溝内に固定され、前記ばね部材が前記接続ポストを外嵌することを特徴とする、請求項１又は２に記載の折り畳み式ダイビングマスク。
【請求項５】
前記キャップには、前記位置決め溝が設けられ、前記ばね部材が前記位置決め溝内に係止されることを特徴とする、請求項４に記載の折り畳み式ダイビングマスク。
【請求項６】
前記規制部の前記規制溝内に間隔をあけて規制用係止部材が突設され、前記規制用係止部材の間に規制用係止溝を画成し、前記位置決め用つまみが前記接続ポストの下方に固設され、位置決め用歯車と規制用歯車とを含み、前記位置決め用歯車及び前記規制用歯車が同軸上に配置され、前記位置決め用歯車が前記規制用歯車の上方に設けられ、前記接続ポストが前記位置決め用歯車に固結され、前記位置決め用歯車が前記規制溝の上方に突設され、前記規制用歯車は、前記規制用係止溝内に係止され、前記位置決め用歯車が前記第２歯溝内に係止されることを特徴とする、請求項４に記載の折り畳み式ダイビングマスク。
【請求項７】
前記位置決め用つまみは、ネジで前記接続ポストの下方に締め付けられ、前記位置決め用つまみに固定溝が設けられ、前記ネジが前記固定溝内に固定されると共に前記接続ポスト内に延び、前記接続ポストの下端部に固定ポストが固設され、前記ネジが前記位置決め用つまみを前記固定ポストの下方に固定することを特徴とする、請求項４に記載の折り畳み式ダイビングマスク。
【請求項８】
前記固定ポストには係止歯が設けられ、前記接続ポストの下方に係止溝が設けられ、前記接続ポストの前記係止溝内に第１歯溝が設けられ、前記固定ポストが前記係止溝内に固定され、前記係止歯が第１歯溝に係合されることを特徴とする、請求項７に記載の折り畳み式ダイビングマスク。
【請求項９】
前記左レンズフレームの前記支持部の一側に第１嵌合板が突設され、前記右レンズフレームの前記方向変換部の一側に第２嵌合板が突設され、前記第１嵌合板は前記第２嵌合板に嵌め合わされることを特徴とする、請求項１又は２に記載の折り畳み式ダイビングマスク。
【請求項１０】
前記規制部の前記規制溝底部にエンドカバーが設けられることを特徴とする、請求項１又は２に記載の折り畳み式ダイビングマスク。
【考案の詳細な説明】
【技術分野】
【０００１】
本考案は、ダイビングマスク組立体に関し、特に、折り畳み式ダイビングマスクに関する。
【背景技術】
【０００２】
社会の発展に伴い、人々の生活は大きく改善され、アウトドアスポーツに注目する人が増加し、ダイビングスポーツはとても人気がある。ダイビングマスクは、ダイビングスポーツの器材であり、一般的なダイビングマスクメインフレームは一体型であるため、折り畳むことができない。これにより、ダイビングマスクを梱包および輸送する際に多くのスペースを取り、製品の輸送コストに影響を及ぼし、更にダイビングマスクの販売価格が上がり、製品の効果的なプロモーションおよび使用にも不利であった。
【考案の概要】
【考案が解決しようとする課題】
【０００３】
これに基づいて、本考案の目的は、構造が簡単で、輸送に便利な折り畳み式ダイビングマスクを提供することである。
【課題を解決するための手段】
【０００４】
本考案は、上記技術的問題を解決するため、次の技術的手段を講じた。
メインフレームを含む折り畳み式ダイビングマスクであって、前記メインフレームは、互いに嵌合された左枠体と右枠体とを含み、前記左枠体に左レンズフレームが設けられ、前記左レンズフレームの一側に支持部及び規制部が設けられ、前記支持部内に収容溝が設けられ、前記支持部の収容溝底部に貫通穴が穿設され、前記収容溝内にばね部材が設けられ、前記規制部は、支持部の下方に設けられ、前記規制部内に規制溝が設けられ、前記収容溝内に押圧軸が係止するように設けられ、前記押圧軸が貫通穴を貫設し、前記ばね部材が押圧軸を外嵌し、前記押圧軸の下方に位置決め用つまみが固設され、前記位置決め用つまみの下端部が規制溝内に係止するように設けられ、前記位置決め用つまみの上端部が規制溝に突設され、前記右枠体に右レンズフレームが設けられ、前記右レンズフレームの一側に方向変換部が設けられ、前記方向変換部が支持部と規制部との間に配置され、前記方向変換部に通孔が穿設され、前記方向変換部の通孔下方に第２歯溝が設けられ、前記位置決め用つまみの上端部が第２歯溝内に係止される。
【０００５】
一実施形態では、マスク本体をさらに含み、前記マスク本体は、メインフレームの一側に密着するように固設される。
【０００６】
一実施形態では、前記マスク本体は、顔面に密着するスカート部と、鼻を覆うノーズポケット部と、を含み、前記スカート部が左枠体及び右枠体の外側縁に密着するように設けられる。
【０００７】
一実施形態では、前記押圧軸には、キャップ及びキャップに接続された接続ポストが設けられ、前記接続ポストの一端が位置決め溝内に固定され、前記ばね部材が接続ポストを外嵌する。
【０００８】
一実施形態では、前記キャップには位置決め溝が設けられ、前記ばね部材が位置決め溝内に係止される。
【０００９】
一実施形態では、前記規制部の規制溝内に間隔をあけて規制用係止部材が突設され、前記規制用係止部材の間に規制用係止溝を画成し、前記位置決め用つまみが接続ポストの下方に固設され、位置決め用歯車と規制用歯車とを含み、前記位置決め用歯車及び規制用歯車が同軸上に配置され、前記位置決め用歯車が規制用歯車の上方に設けられ、前記接続ポストが位置決め用歯車に固結され、前記位置決め用歯車が規制溝の上方に突設され、前記規制用歯車は、規制用係止溝内に係止され、前記位置決め用歯車が第２歯溝内に係止される。
【００１０】
一実施形態では、前記位置決め用つまみは、ネジで接続ポストの下方に締め付けられ、前記位置決め用つまみに固定溝が設けられ、前記ネジが固定溝内に固定されると共に接続ポスト内に延び、前記接続ポストの下端部に固定ポストが固設され、前記ネジが位置決め用つまみを固定ポストの下方に固定する。
【００１１】
一実施形態では、前記固定ポストには係止歯が設けられ、前記接続ポストの下方に係止溝が設けられ、前記接続ポストの係止溝内に第１歯溝が設けられ、前記固定ポストが係止溝内に固定され、前記係止歯が第１歯溝に係合される。
【００１２】
一実施形態では、前記左レンズフレームの支持部の一側に第１嵌合板が突設され、前記右レンズフレームの方向変換部の一側に第２嵌合板が突設され、前記第１嵌合板は第２嵌合板に嵌め合わされる。
【００１３】
一実施形態では、前記規制部の規制溝底部にエンドカバーが設けられる。
【考案の効果】
【００１４】
前記をまとめると、本考案の折り畳み式ダイビングマスクは、メインフレームを左枠体及び右枠体として設置し、左枠体に支持部及び規制部を設け、右枠体に方向変換部を設け、押圧軸を位置決め用つまみ構造に結合することで、左枠体と右枠体の安定した嵌め合わせを完成させる。マスク本体の顔面密着角度を調整しようとする時、押圧軸を下に押した後右枠体を適応角度に微調整し、マスク本体が左枠体及び右枠体の共に押し当てた状態で、適切な顔面密着角度を形成させ、より顔面に密着して設置でき、折り畳もうとする時、押圧軸を下に押すと、位置決め用つまみと方向変換部を分離させ、したがって右枠体を回転すると製品の折り畳み操作が完了し、構造が簡単であり、製品輸送に取られるスペースを効果的に減らし、製品の輸送コストが大幅に削減される。
【図面の簡単な説明】
【００１５】
【図１】本考案に係る折り畳み式ダイビングマスクの構造を示す模式図である。
【図２】本考案に係る折り畳み式ダイビングマスクのマスク本体を隠した後の構造を示す模式図である。
【図３】本考案に係る折り畳み式ダイビングマスクのマスク本体及び右枠体を隠した後の構造を示す模式図である。
【図４】本考案に係る右枠体の構造を示す模式図である。
【図５】本考案に係る左枠体の構造を示す模式図である。
【図６】本考案に係る押圧軸、ばね部材、位置決め用つまみ及びネジの組立図である。
【図７】本考案に係る押圧軸、ばね部材、位置決め用つまみ及びネジの分解図である。
【考案を実施するための形態】
【００１６】
本考案の特徴、技術的手段及び達成する具体的な目的、機能をさらに理解するために、以下、本考案を図面及び具体的実施形態により、さらに詳細に説明する。
【００１７】
図１から図７を参照すると、本考案の折り畳み式ダイビングマスクは、メインフレーム１００と、マスク本体２００とを含み、前記マスク本体２００がメインフレーム１００の一側に密着するように固設される。具体的には、前記メインフレーム１００は、互いに嵌合された左枠体１０と右枠体２０とを含み、前記マスク本体２００が顔面に密着するスカート部２０１と鼻を覆うノーズポケット部２０２とを含み、前記スカート部２０１が外部の水がスカート部２０１の中に侵入するのを防ぐために、左枠体１０及び右枠体２０の外側縁に密着するように設けられる。前記ノーズポケット部２０２は、左枠体１０と右枠体２０との間に設けられている。
【００１８】
前記左枠体１０には、左レンズフレーム１１が設けられ、前記左レンズフレーム１１の一側の上端部に支持部１２及び規制部１３が設けられ、前記支持部１２が規制部１３から離間して設けられ、前記支持部１２及び規制部１３が各々中空円筒構造であり、同軸上に配置されており、前記支持部１２内に収容溝１２１が設けられ、前記支持部１２の収容溝１２１底部に貫通穴１２２が穿設され、前記貫通穴１２２の断面直径が収容溝１２１の断面直径よりも小さく、前記収容溝１２１内にばね部材３０が設けられ、前記規制部１３は、支持部１２の下方に設けられ、前記規制部１３内に規制溝１３１が設けられ、前記規制部１３の規制溝１３１内に間隔をあけて規制用係止部材１３２突設され、前記規制用係止部材１３２の間に規制用係止溝１３３を画成する。
【００１９】
前記収容溝１２１内に押圧軸４０が係止するように設けられ、前記押圧軸４０の下端部は貫通穴１２２を貫通して支持部１２の下方に延び、前記ばね部材３０が押圧軸４０を外嵌し、押圧軸４０に付勢して押圧軸４０を元の位置に戻すために用いられ、前記押圧軸４０には、キャップ４１及びキャップ４１に接続された接続ポスト４２が設けられ、前記キャップ４１に位置決め溝４１１が設けられ、前記接続ポスト４２の一端が位置決め溝４１１内に固定され、前記ばね部材３０が接続ポスト４２を外嵌すると共に位置決め溝４１１内に係止される。
【００２０】
前記押圧軸４０の下方には、位置決め用つまみ５０が固設され、前記位置決め用つまみ５０の下端部は規制溝１３１内に係止するように設けられ、前記位置決め用つまみ５０の上端部が規制溝１３１に突設される。具体的には、前記位置決め用つまみ５０は、接続ポスト４２の下方に固設され、位置決め用歯車５１と規制用歯車５２とを含み、前記位置決め用歯車５１と規制用歯車５２が同軸上に配置され、前記位置決め用歯車５１が規制用歯車５２の上方に設けられ、前記接続ポスト４２が位置決め用歯車５１と固結され、前記位置決め用歯車５１が規制溝１３１の上方に突設され、前記規制用歯車５２は、規制用係止溝１３３内に係止されることで、位置決め用つまみ５０が規制用係止溝１３３の規制作用下で回転しないようにし、製品組立の安定性を効果的に高めることができる。
【００２１】
一実施形態では、前記位置決め用つまみ５０は、ネジ６０で接続ポスト４２の下方に締め付けられ、前記位置決め用つまみ５０に固定溝５３が設けられ、前記ネジ６０が固定溝５３内に固定されると共に接続ポスト４２内に延び、前記接続ポスト４２の下端部に固定ポスト４２１が固設され、前記ネジ６０が位置決め用つまみ５０を固定ポスト４２１の下方に固定する。前記固定ポスト４２１には係止歯４２１１が設けられ、前記接続ポスト４２の下方に係止溝４２２が設けられ、前記接続ポスト４２の係止溝４２２内に第１歯溝４２３が設けられ、前記固定ポスト４２１が係止溝４２２内に固定され、前記係止歯４２１１が第１歯溝４２３に係合することで、位置決め用つまみ５０を接続ポスト４２の下方に安定して固定させることができる。
【００２２】
前記右枠体２０には右レンズフレーム２１が設けられ、前記右レンズフレーム２１の一側に方向変換部２２が設けられ、前記方向変換部２２が支持部１２と規制部１３との間に配置され、前記方向変換部２２に通孔２２１が穿設され、前記方向変換部２２の通孔２２１下方に第２歯溝２２２が設けられ、前記接続ポスト４２が通孔２２１内に設けられ、前記位置決め用つまみ５０上端部が第２歯溝２２２内に係止される。具体的には、前記位置決め用歯車５１は第２歯溝２２２内に係止されることで、方向変換部２２を規制し、右レンズフレーム２１と左レンズフレーム１１との相対的な回転しないよう確保する。
【００２３】
本考案が具体的に組み立てる時、位置決め用つまみ５０を規制部１３の規制溝１３１内に入れ、左枠体１０と右枠体２０を嵌め合い、この場合、方向変換部２２は支持部１２と規制部１３との間に配置され、その後、ばね部材３０を嵌め付けた押圧軸４０が貫通穴１２２及び通孔２２１の順を挿通し、ネジ６０で位置決め用つまみ５０と押圧軸４０を固結すると、メインフレーム１００の組立手順を終え、最後にマスク本体２００を左枠体１０及び右枠体２０の外側周縁に密着するよう設けると、製品の組立手順を終える。組み立てられた製品を輸送する時、左枠体１０及び右枠体２０を回転し、マスク本体２００の柔軟な特性を利用して左枠体１０及び右枠体２０を互いに近接して折り畳まれることにより、製品の輸送に取られたスペースを効果的に減らし、製品の輸送コストも大幅に削減できる。
【００２４】
具体的に、押圧軸４０を下に押して位置決め用つまみ５０を下向き移動させることで、位置決め用歯車５１は方向変換部２２の第２歯溝２２２から離脱され、方向変換部２２が位置決め用歯車５１の位置決め作用を欠いた後、押圧軸４０を軸心として反転させることができることで、右枠体２０を左枠体１０の一側に向けて反転させて、左枠体１０及び右枠体２０の折り畳み操作を完了する。右枠体２０の反転操作を完了すると、押圧軸４０を放し、押圧軸４０は、ばね部材３０の復元力によって上方に復元され、この時、位置決め用歯車５１が第２歯溝２２２内に改めて係止され、左枠体１０及び右枠体２０の位置決めを完了する。製品を使用しようとする時、上記の操作を繰り返し、押圧軸４０を下に押した後、右枠体２０を回転して元の位置に戻した後、押圧軸４０を放すと、左枠体１０及び右枠体２０の位置決めを完了する。同時に、右枠体２０を回転すると、マスク本体２００の顔面密着角度を調整でき、マスク本体２００の顔面密着角度を調整しようとする時、押圧軸４０を下に押した後、右枠体２０を適応角度に微調整して、マスク本体２００は左枠体１０及び右枠体２０の共に押し当てた状態で適切な顔面密着角度を形成させ、より顔面に密着して設置でき形成させることができる。
【００２５】
一実施形態では、前記左レンズフレーム１１の支持部１２の一側に第１嵌合板１４が突設され、前記右レンズフレーム２１の方向変換部２２の一側に第２嵌合板２３が突設され、前記第１嵌合板１４は右枠体２０の方向変換角度を制限し、右枠体２０の過度の回転により製品の使用効果に影響を及ぼさないように、第２嵌合板２３に嵌め合わされる。
【００２６】
一実施形態では、前記規制部１３の規制溝１３１底部にエンドカバー７０が設けられることで、製品の体裁もよくなる。
【００２７】
前記をまとめると、本考案の折り畳み式ダイビングマスクは、メインフレーム１００を左枠体１０及び右枠体２０として設置し、左枠体１０に支持部１２及び規制部１３を設け、右枠体２０に方向変換部２２を設け、押圧軸４０を位置決め用つまみ５０構造に結合することで、左枠体１０と右枠体２０の安定した嵌め合わせを完成させる。マスク本体２００の顔面密着角度を調整しようとする時、押圧軸４０を下に押した後右枠体２０を適応角度に微調整し、マスク本体２００が左枠体１０及び右枠体２０の共に押し付当てた状態で、適切な顔面密着角度を形成させ、より顔面に密着して設置できる。折り畳もうとする時、押圧軸４０を下に押すと、位置決め用つまみ５０と方向変換部２２を分離させ、したがって右枠体２２０を回転すると製品の折り畳み操作が完了し、構造が簡単であり、製品輸送に取られるスペースを効果的に減らし、製品の輸送コストが大幅に削減される。
【００２８】
上述した実施形態では、本考案を例示し説明したが、これらは、本考案を例示するものに過ぎず、その説明はより具体的かつ詳細であるが、本考案の範囲を限定するものとして理解することはできない。当業者であれば、本考案の技術的思想を逸脱することなく、多数の変形及び改善を行うことができ、これらはすべて本考案の保護範囲に属することに留意されたい。したがって、本考案の保護範囲は、添付する実用新案登録請求の範囲で限定される。
【符号の説明】
【００２９】
10：左枠体
100：メインフレーム
11：左レンズフレーム
12：支持部
121：収容溝
122：貫通穴
13：規制部
131：規制溝
132：規制用係止部材
133：規制用係止溝
14：第１嵌合板
20：右枠体
200：マスク本体
201：スカート部
202：ノーズポケット
21：右レンズフレーム
22：方向変換部
221：通孔
222：第２歯溝
23：第２嵌合板
30：ばね部材
40：押圧軸
41：キャップ
411：位置決め溝
42：接続ポスト
421：固定ポスト
4211：係止歯
422：係止溝
423：第１歯溝
50：位置決め用つまみ
51：位置決め用歯車
52：規制用歯車
53：固定溝
60：ネジ
70：エンドカバー
【図１】
0003225217.tif 000003
【図２】
0003225217.tif 000004
【図３】
0003225217.tif 000005
【図４】
0003225217.tif 000006
【図５】
0003225217.tif 000007
【図６】
0003225217.tif 000008
【図７】
0003225217.tif 000009